(57)【特許請求の範囲】
【請求項１】
無線局装置と無線通信可能な無線通信手段と、
前記無線通信手段が前記無線局装置と通信が可能な状態から通信が不可能な状態になると、通信が可能な無線局装置をサーチするためのサーチ動作をするサーチ手段と、
前記無線通信手段による通信状態を表示する通信状態表示手段とを備え、
前記通信状態表示手段は、前記無線通信手段による通信が可能な状態において、通信が可能な状態であることを表示する通信可能状態表示手段と、
前記サーチ動作をしていることを表示するサーチ状態表示手段と、
前記無線通信手段による通信が可能な状態になることなくサーチ動作が終了すると、サーチ終了状態であることを表示するサーチ終了状態表示手段と、
前記サーチ動作を停止させる指示の入力が受け付けられることに応じて、前記サーチ動作を停止させる停止手段とを備え、
前記サーチ手段は、前記無線通信手段が前記無線局装置と通信が可能な状態から通信が不可能な状態になると、それまで通信していた無線局装置をサーチするための第１サーチ動作をする第１サーチ手段と、
通信不可能な状態が継続して所定の期間経過すると、予め登録された無線局装置をサーチするための第２サーチ動作をする第２サーチ手段とを含み、
前記サーチ状態表示手段は、前記所定の期間に前記第１サーチ動作をしていることを表示する第１サーチ状態表示手段と、
前記所定の期間経過後に前記第２サーチ動作をしていることを表示する第２サーチ状態表示手段とを含む、携帯通信端末。
【請求項２】
前記無線通信手段が前記無線局装置から受信する電波の強度が第１のしきい値より小さくなった場合、または、前記無線通信手段と前記無線局装置との間の無線通信において、転送レートが第２のしきい値より小さくなった場合、前記無線通信手段が前記無線局装置と通信が可能な状態から通信が不可能な状態になると判断する判断手段を、さらに備えた、請求項１に記載の携帯通信端末。
【発明の詳細な説明】
【技術分野】
【０００１】
この発明は携帯通信端末に関し、特に無線ＬＡＮに接続可能な携帯通信端末に関する。
【背景技術】
【０００２】
携帯電話機は、無線通信により基地局と無線通信するが、電波が届かない通信圏外の場所であったり、通信圏内であっても電波の状態の悪い場所であったりすると、通信することができない。この場合、携帯電話機は、通信できないことをユーザに報知するために、ディスプレイに圏外であることを表示する。特開２００５−２０１１０号公報（特許文献１）には、無線基地局のサービスエリアから外れた場所に位置するとき、又は受信電波が妨害電波による妨害を受けているとき、通信不可能な状態である旨を表示部に表示する携帯電話機であって、前記サービスエリアから外れた場所に位置する状態、及び前記受信電波が前記妨害電波による妨害を受けている状態を判別し、この判別結果をユーザに通知する判別手段が設けられていることを特徴とする携帯電話機が記載されている。
【０００３】
しかしながら、無線ＬＡＮ（Ｌｏｃａｌ  Ａｒｅａ  Ｎｅｔｗｏｒｋ）の場合には、１つの携帯通信端末が複数種類のＬＡＮのアクセスポイントの圏内に含まれることがある。この場合、携帯通信端末は、複数の無線ＬＡＮのうちから選択された無線ＬＡＮと接続される。また、携帯通信端末がある種類の無線ＬＡＮのアクセスポイントのサービスエリア内に位置しなくても、別の種類の無線ＬＡＮのアクセスポイントのサービスエリア内に位置する場合がある。例えば、ある種類の無線ＬＡＮのサービスエリア内からそのサービスエリア外に移動すると、移動後の位置が、すべての無線ＬＡＮのサービスエリア外であったり、また別の種類の無線ＬＡＮのサービスエリア内であったりする。通信端末は、通信を継続するためにそれまで通信していた無線ＬＡＮまたは別の無線ＬＡＮと接続するために、通信可能な無線ＬＡＮをサーチして、検出した無線ＬＡＮに自動的に接続する。このため、携帯通信端末が無線ＬＡＮのサービスエリア外に移動するだけで、多くの電力を消費してしまう。特に携帯通信端末は、蓄電容量の限られたバッテリにより駆動するので、電力の消費を可能な限り低減することが望ましい。
【０００４】
一方、無線ＬＡＮのサービスエリア内であるかサービスエリア外であるかは、ユーザが経験的に知ることができる。このため、ユーザは、接続可能な無線ＬＡＮをサーチしても無線ＬＡＮを検出できないことが予めわかっている位置を知っている場合があるが、ユーザはそのような位置で携帯通信端末が自動的に無線ＬＡＮをサーチしていることがわからないためにサーチを停止させることができず、電力が無駄に消費されてしまうといった問題がある。
【特許文献１】特開２００５−２０１１０号公報
【発明の開示】
【発明が解決しようとする課題】
【０００５】
この発明は上述した問題点を解決するためになされたもので、この発明の目的の一つは、消費電力を低減した携帯通信端末を提供することである。
【課題を解決するための手段】
【０００６】
上述した目的を達成するために、この発明のある局面によれば、携帯通信端末は、無線局装置と無線通信可能な無線通信手段と、無線通信手段が無線局装置と通信が可能な状態から通信が不可能な状態になると、通信が可能な無線局装置をサーチするためのサーチ動作をするサーチ手段と、無線通信手段による通信状態を表示する通信状態表示手段とを備え、通信状態表示手段は、無線通信手段による通信が可能な状態において、通信が可能な状態であることを表示する通信可能状態表示手段と、サーチ動作をしていることを表示するサーチ状態表示手段と、無線通信手段による通信が可能な状態になることなくサーチ動作が終了すると、サーチ終了状態であることを表示するサーチ終了状態表示手段と、サーチ動作を停止させる指示の入力が受け付けられることに応じて、サーチ動作を停止させる停止手段とを備え、サーチ手段は、無線通信手段が無線局装置と通信が可能な状態から通信が不可能な状態になると、それまで通信していた無線局装置をサーチするための第１サーチ動作をする第１サーチ手段と、通信不可能な状態が継続して所定の期間経過すると、予め登録された無線局装置をサーチするための第２サーチ動作をする第２サーチ手段とを含み、サーチ状態表示手段は、所定の期間に第１サーチ動作をしていることを表示する第１サーチ状態表示手段と、所定の期間経過後に第２サーチ動作していることを表示する第２サーチ状態表示手段とを含む。
【０００７】
この局面によれば、無線局装置と通信が可能な状態において通信が可能な状態であることを表示し、通信が不可能な状態になると通信可能な無線局装置をサーチするとともにサーチ状態であることを表示し、通信が可能になることなくサーチが終了するとサーチ終了状態であることを表示する。このため、携帯通信端末が、通信が可能な状態、サーチ状態またはサーチ終了状態のいずれの状態にあるかをユーザに知らせることができる。さらに、無線局装置と通信が可能な状態から通信が不可能な状態になると、それまで通信していた無線局装置をサーチするための第１サーチ動作をし、通信不可能な状態が継続して所定の期間経過すると、予め登録された無線局装置をサーチするための第２サーチ動作をし、所定の期間に第１サーチ動作をしていることを表示し、所定の期間経過後に第２サーチ動作していることを表示する。そして、サーチ動作を停止させる指示の入力が受け付けられることに応じて、サーチ動作を停止させる。このため、ユーザが無線接続を望まない場合にサーチ動作が継続されて電力が無駄に消費されるのを防止することができる。その結果、消費電力を低減した携帯通信端末を提供することができる。
【０００８】
好ましくは、無線通信手段が無線局装置から受信する電波の強度が第１のしきい値より小さくなった場合、または、無線通信手段と無線局装置との間の無線通信において、転送レートが第２のしきい値より小さくなった場合、無線通信手段が無線局装置と通信が可能な状態から通信が不可能な状態になると判断する判断手段を、さらに備える。
【発明を実施するための最良の形態】
【０００９】
以下、本発明の実施の形態について図面を参照して説明する。以下の説明では同一の部品には同一の符号を付してある。それらの名称および機能も同じである。したがってそれらについての詳細な説明は繰返さない。
【００１０】
図１は、本実施の形態における通信システムの概要を示す図である。図１を参照して、通信システムは、携帯電話機１と、３台のアクセスポイント（ＡＰ）１００〜１０２とを含む。ここでは、説明のために３台のアクセスポイント１００〜１０２を示しているが、台数は１以上あればよく台数を限定するものではない。アクセスポイント１００〜１０２は、互いに異なる種類のＬＡＮの中継器として機能する無線局装置である。ここでは、アクセスポイント１００が接続されるＬＡＮを第１のネットワークといい、アクセスポイント１０１が接続されるＬＡＮを第２のネットワークといい、アクセスポイント１０２が接続されるＬＡＮを第３のネットワークという。例えば、第１のネットワークは、ユーザが家庭内などに独自に設置したＬＡＮであり、第２のネットワークはＡ社の提供するＬＡＮであり、第３のネットワークはＢ社の提供するＬＡＮである。
【００１１】
携帯電話機１は、アクセスポイント１００〜１０２のいずれか１つと無線通信する。例えば、携帯電話機１がアクセスポイント１００と無線通信すると、携帯電話機１は第１のネットワークに接続され、第１のネットワークに接続されている他のコンピュータと通信することが可能となる。
【００１２】
アクセスポイント１００〜１０２は、通常は地上に固定して設置され、それぞれ通信可能範囲が定まる。携帯電話機１は、アクセスポイント１００の通信可能範囲１００Ａ内に位置するときに、アクセスポイント１００と無線通信することができるが、通信可能範囲１００Ａの外に位置するときにはアクセスポイント１００と無線通信することができない。携帯電話機１は、アクセスポイント１０１の通信可能範囲１０１Ａ内に位置するときに、アクセスポイント１０１と無線通信することができるが、通信可能範囲１０１Ａの外に位置するときにはアクセスポイント１０１と無線通信することができない。携帯電話機１は、アクセスポイント１０２の通信可能範囲１０２Ａ内に位置するときに、アクセスポイント１０２と無線通信することができるが、通信可能範囲１０２Ａの外に位置するときにはアクセスポイント１００と無線通信することができない。
【００１３】
アクセスポイント１００の通信可能範囲１００Ａと、アクセスポイント１０１の通信可能範囲１０１Ａと、アクセスポイント１０２の通信可能範囲１０２Ａとは、３つが重なっている領域と、２つが重なっている領域と、重なっていない領域とが存在する。携帯電話機１が図１に示す位置に存在するとき、その位置はアクセスポイント１００〜１０２の通信可能範囲１００Ａ〜１０２Ａのすべてが重なる領域に含まれる。このため、携帯電話機１は、アクセスポイント１００〜１０２のいずれとも無線通信することが可能である。携帯電話機１が、アクセスポイント１００〜１０２のいずれかと通信する場合、例えば、ＳＳＩＤ（Ｓｅｒｖｉｃｅ  Ｓｅｔ  Ｉｄｅｎｔｉｆｉｅｒ）、ＥＳＳＩＤ（Ｅｘｔｅｎｄｅｄ  ＳＳＩＤ）等の識別子が用いられる。これにより、携帯電話機１は、通信可能範囲１００Ａ〜１０２Ａが重なる領域内に位置していてもアクセスポイント１００〜１０２のうちから携帯電話機１が選択した１つと無線接続することができる。
【００１４】
図２は、本発明の実施の形態の一つにおける携帯電話機の外観を示す斜視図である。図２（Ａ）は、オープンスタイルの携帯電話機の外観を示し、図２（Ｂ）はクローズスタイルの携帯電話機の外観を示す。図２（Ａ）および図２（Ｂ）を参照して、携帯電話機１は、操作側部３と、表示側部２とを含む。操作側部３は、電源キー１４Ａ、テンキーおよび通話キー等を含む操作キー１４と、マイク１３とが内側面に配置され、マイク端子１６およびイヤホン端子１７が右側面に配置される。表示側部２は、液晶表示装置（ＬＣＤ）１５と、レシーバを構成する第１スピーカ１１と、カメラ２４とが内側面に配置され、カメラ２４Ａと、小型ＬＣＤ１５Ａと、第２スピーカ１２とが外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００１５】
図３は、本実施の形態における携帯電話機の機能の一例を示す機能ブロック図である。図３を参照して、携帯電話機１は、携帯電話機１の全体を制御するための制御部２１と、アンテナ２２Ａと接続された無線回路２２と、音声データを処理するためのコーデック部２８と、コーデック部２８の入出力を切換えるための切換部２９と、それぞれが切換部２９に接続されたマイク１３、第１スピーカ１１、第２スピーカ１２、マイク端子１６およびイヤホン端子１７と、アンテナ２３Ａと接続された無線ＬＡＮ回路２３と、カメラ２４と、ユーザの操作の入力を受付ける操作キー１４と、姿勢検出スイッチ１９と、振動部２６と、ＬＣＤ１６の表示を制御するための表示制御部３０と、制御部２１で実行するためのプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、アドレス帳データ、電子メール等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３とを含む。
【００１６】
姿勢検出スイッチ１９は、操作側部３と表示側部２との相対的な位置を検出し、制御部に出力する。制御部２１は、姿勢検出スイッチ１９の出力に基づき、携帯電話機１の姿勢が、クローズスタイルおよびオープンスタイルのいずれにあるかを検出する。
【００１７】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして切換部２９に出力する。また、コーデック部２８は、切換部２９を介してマイク１３またはマイク端子１６からアナログの音声信号が入力され、音声信号をデジタルに変換し、符号化し、そして符号化した音声信号を無線回路２２に出力する。
【００１８】
切換部２９は、制御部２１により制御され、コーデック部２８への音声信号の入出力を切換える。切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００１９】
切換部２９は、マイク１３またはマイク端子１６のいずれかが出力する音声信号をコーデック部２８に出力する。切換部２９は、マイク端子１６にマイクが接続されている場合は、マイク端子１６から受け付けた音声信号をコーデック部２８に出力し、マイク端子１６にマイクが接続されていない場合は、マイク１３から受け付けた音声信号をコーデック部２８に出力する。
【００２０】
無線ＬＡＮ回路２３は、アクセスポイント１００〜１０２のいずれか１つと無線通信する。無線ＬＡＮ回路２３は、アクセスポイント１００〜１０２が出力するビーコン信号を検出して、アクセスポイント１００〜１０２各々について、通信可能か否かを検出する。ここでは、アクセスポイント１００〜１０２が出力するビーコン信号を検出する携帯電話機１の動作をサーチ動作という。携帯電話機１は、２つの種類のサーチ動作をする。
【００２１】
第１の種類のサーチ動作は、ネットワークを特定して、その特定したネットワークに接続可能か否かを判断する動作である。具体的には、特定したネットワークに接続されたアクセスポイントが出力するビーコン信号を検出する。携帯電話機１は、特定したネットワークに接続されたアクセスポイントの通信可能範囲内に携帯電話機１が位置しなくても、第１の種類のサーチ動作をする場合がある。例えば、携帯電話機１がアクセスポイント１００と無線接続されている場合について説明する。この場合、携帯電話機１は、アクセスポイント１００の通信可能範囲１００Ａ内に位置する。携帯電話機１が通信可能範囲１００Ａの外に移動すると、携帯電話機１がアクセスポイント１００から受信する電波の強度が弱くなる。携帯電話機１は、アクセスポイント１００から受信する電波の強度が所定のしきい値Ｔ１よりも小さくなった場合、または、転送レートが所定のしきい値Ｔ２よりも小さくなった場合に、第１の種類のサーチ動作を開始する。携帯電話機１は、第１の種類のサーチ動作を開始した時点で、例えその位置がアクセスポイント１００以外の他のアクセスポイント１０１，１０２いずれかの通信可能範囲１０１Ａ，１０２Ａ内であっても、アクセスポイント１００が出力するビーコン信号を検出する第１の種類のサーチ動作をする。携帯電話機１は、第１の種類のサーチ動作中にアクセスポイント１００と無線通信可能になると、再度アクセスポイント１００と無線通信して携帯電話機１を第１のネットワークに接続する。しかしながら、携帯電話機１は、第１の種類のサーチ動作を開始してからアクセスポイント１００と通信可能になることなく予め定められたサーチ時間が経過すると、第１サーチ動作を停止して、第２の種類のサーチ動作をする。
【００２２】
第２の種類のサーチ動作は、携帯電話機１に予め登録された複数のネットワークと接続可能か否かを順に判断する動作である。ただし、第１の種類のサーチ動作の次に行われるため、第１の種類のサーチ動作でサーチした第１のネットワークと接続可能か否かは判断しない。具体的には、ここでは、第１〜第３のネットワークが携帯電話機１に登録してあるとすれば、第２のネットワークに接続されたアクセスポイント１０１が出力するビーコン信号を検出できたか否かを判断する。アクセスポイント１０１が出力するビーコン信号を検出できたならばアクセスポイント１０１と無線通信するが、検出できなければ次に第３のネットワークに接続されたアクセスポイント１０２が出力するビーコン信号を検出できたか否かを判断する。アクセスポイント１０２が出力するビーコン信号を検出できたならばアクセスポイント１０２と無線通信するが、検出できなければ第２の種類のサーチ動作を終了する。すなわち、携帯電話機１は、携帯電話機１に予め登録された複数のネットワークと接続可能か否かを順に判断して、いずれかと接続可能であればそのネットワークに接続するが、いずれのネットワークとも接続可能でなければ、第２の種類のサーチ動作を終了する。
【００２３】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２４】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２または無線ＬＡＮ回路２３を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム、圧縮処理されたプログラム、暗号化されたプログラム等を含む。
【００２５】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３４またはカードＩ／Ｆ２７に装着されたフラッシュメモリ２７Ａに記憶する。カメラ２４は、携帯電話機１がテレビ電話として機能する際に、携帯電話機１のユーザを撮像する。
【００２６】
ＥＥＰＲＯＭ３３は、第１のネットワーク、第２のネットワークおよび第３のネットワークの識別子を記憶する。識別子は、ユーザが操作部１４を操作して、予め入力することにより、ＥＥＰＲＯＭ３３に記憶される。
【００２７】
図４は、通信中処理の流れの一例を示すフローチャートである。通信中処理は、制御部２１が、通信中処理プログラムを実行することにより、制御部２１により実行される処理である。通信中処理は、携帯電話機１が無線ＬＡＮと接続して無線通信をしているときに実行される処理である。ここでは、アクセスポイント１００と無線通信している場合を例に説明する。携帯電話機１は、アクセスポイント１００と無線通信が可能な状態にあるときは、携帯電話機１がアクセスポイント１００のサービスエリア内に位置することをユーザに示すためにＬＣＤ１５に「圏内」の表示をする。なお、この「圏内」の表示は、携帯電話機１が無線回路２２による通信が可能な状態にあるときにＬＣＤ１５に表示する「圏内」の表示とは別に、異なる位置に表示される。
【００２８】
図４を参照して、アクセスポイント１００から受信する電波の強度がしきい値１より小さくなったか否かを判断する（ステップＳ０１）。電波の強度がしきい値Ｔ１より小さければ処理をステップＳ０３に進め、そうでなければ処理をステップＳ０２に進める。ステップＳ０２において、アクセスポイント１００との間の無線通信において、転送レートがしきい値Ｔ２より小さくなったか否かを判断する。転送レートがしきい値Ｔ２より小さければ処理をステップＳ０３に進め、そうでなければ処理をステップＳ０１に戻す。
【００２９】
ステップＳ０３において、ＬＣＤ１５に表示されている「圏内」の表示を「圏外１」の表示に切り換える。そしてステップＳ０４において、それまで通信していたアクセスポイント１００をサーチする。すなわち上述した第１の種類のサーチ動作を開始する。したがって、「圏外１」の表示は、携帯電話機１が第１の種類のサーチ動作をしていることを示す情報でもある。
【００３０】
ステップＳ０５において、第１の種類のサーチ動作を中止する指示を受け付けたか否かを判断する。中止する指示を受け付けたならば処理をステップＳ１４に進め、中止する指示を受け付けなければ処理をステップＳ０６に進める。制御部２１は、ユーザが操作キー１４のうちで予め定められた中止キーを押下すると、中止キーの押下を検出し、第１の種類のサーチ動作を中止する指示を受け付ける。ステップＳ１４においては、第１の種類のサーチ動作を中止して処理を終了する。これにより、ユーザの意思で第１の種類のサーチ動作を中止させることができ、携帯電話１が無駄なサーチをすることにより電力が無駄に消費されるのを防止することができる。
【００３１】
ステップＳ０６においては、通信可能なアクセスポイントが存在するか否かを判断する。ここでは、第１の種類のサーチ動作を実行しているので、アクセスポイント１００と通信可能となったか否かを判断する。通信可能なアクセスポイントが存在するならば処理をステップＳ１５に進め、存在しなければ処理をステップＳ０７に進める。ステップＳ１５においては、通信可能となったアクセスポイント１００と通信することにより第１のネットワークと接続し、処理を終了する。
【００３２】
ステップＳ０７においては、第１の種類のサーチ動作を開始してからサーチ時間が経過したか否かを判断する。サーチ時間が経過したならば処理をステップＳ０８に進め、そうでなければ処理をステップＳ０５に戻す。このため、第１の種類のサーチ動作を開始してからサーチ時間が経過するまでに再度アクセスポイント１００と通信可能となれば通信するが、ユーザがアクセスポイント１００の通信可能範囲１００Ａの外に出た場合等に、サーチ時間を超えて第１の種類のサーチ動作が実行されるのを中止させることにより、電力が無駄に消費されるのを防止することができる。
【００３３】
ステップＳ０８においては、ＬＣＤ１５に表示されている「圏外１」の表示を「圏外２」の表示に切り換える。そしてステップＳ０９において、登録してあるアクセスポイントを順にサーチする。すなわち上述した第２の種類のサーチ動作を開始する。したがって、「圏外２」の表示は、携帯電話機１が第２の種類のサーチ動作をしていることを示す情報でもある。
【００３４】
ステップＳ１０において、第２のサーチ動作を中止する指示を受け付けたか否かを判断する。中止する指示を受け付けたならば処理をステップＳ１６に進め、中止する指示を受け付けなければ処理をステップＳ１１に進める。制御部２１は、ユーザが操作キー１４のうちで予め定められた中止キーを押下すると、中止キーの押下を検出し、第２のサーチ動作を中止する指示を受け付ける。ステップＳ１６においては、第２のサーチ動作を中止し、処理を終了する。これにより、ユーザの意思で第２のサーチ動作を中止させることができ、携帯電話１が無駄なサーチをすることにより電力が無駄に消費されるのを防止することができる。
【００３５】
ステップＳ１１においては、通信可能なアクセスポイントが存在するか否かを判断する。ここでは、第２のサーチ動作を実行しているので、アクセスポイント１０１と通信可能となったか否かを判断する。通信可能なアクセスポイントが存在するならば処理をステップＳ１７に進め、存在しなければ処理をステップＳ１２に進める。ステップＳ１７においては、通信可能となったアクセスポイント１０１と無線接続し、処理を終了する。
【００３６】
ステップＳ１２においては、第２のサーチ動作が終了したか否かを判断する。第２のサーチ動作が終了したならば処理をステップＳ１３に進め、終了していなければ処理をステップＳ１０に戻す。登録されているネットワークのうち第１の種類のサーチ動作でサーチした第１のネットワークを除くすべてのネットワークに対するサーチが終了すれば、第２のサーチ動作が終了したと判断する。ここでは、第３のネットワークを未だサーチしていないので、処理をステップＳ１０に戻す。
【００３７】
ステップＳ１３においては、ＬＣＤ１５に表示されている「圏外２」の表示を「圏外３」の表示に切り換える。圏外３が表示される場合、第２のサーチ動作が終了しているので、圏外３の表示はサーチが終了した状態を示す情報でもある。ステップＳ１３に処理が進む場合には、無線ＬＡＮ回路２３が能動化しておらず、無線ＬＡＮ回路２３による電力の消費は最も低い状態となる。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】本実施の形態における通信システムの概要を示す図である。
【図２】本発明の実施の形態の一つにおける携帯電話機の外観を示す斜視図である。
【図３】本実施の形態における携帯電話機の機能の一例を示す機能ブロック図である。
【図４】通信中処理の流れの一例を示すフローチャートである。
【符号の説明】
【００４０】
１  携帯電話機、２  表示側部、３  操作側部、１１  第１スピーカ、１２  第２スピーカ、１３  マイク、１４  操作キー、１６  マイク端子、１７  イヤホン端子、１９  姿勢検出スイッチ、２１  制御部、２２  無線回路、２２Ａ  アンテナ、２３  無線ＬＡＮ回路、２３Ａ  アンテナ、２４  カメラ、２６  振動部、２７  カードＩ／Ｆ、２７Ａ  フラッシュメモリ、２８  コーデック部、２９  切換部、３０  表示制御部、３１  ＲＯＭ、３２  ＲＡＭ、１００，１０１，１０２  アクセスポイント。
【図１】
0004708240.tif 000002
【図２】
0004708240.tif 000003
【図３】
0004708240.tif 000004
【図４】
0004708240.tif 000005